(57)【特許請求の範囲】
【請求項１】
放送番組を含むデジタル放送信号を受信する受信手段と、
前記受信手段にて受信された前記デジタル放送信号から、記録すべき放送番組の番組データを抽出する番組データ抽出手段と、
前記番組データ抽出手段にて抽出された前記番組データを記録する半導体記録媒体およびディスク記録媒体をそれぞれ備える第１および第２の記録手段と、
前記第１の記録手段から前記第２の記録手段へ前記番組データの転送を行うデータ転送手段と、
を備え、
前記番組データを記録するに際し、
前記第１の記録手段は、前記第２の記録手段よりも少ない消費電力で前記番組データを記録し、
前記番組データを転送するに際し、
前記転送に要する時間は、前記第１の記録手段への前記番組データの番組開始からの記録に要する時間よりも短く、
前記データ転送手段は、前記第１の記録手段への前記番組データの記録が完了する前から、前記転送を開始することを特徴とする、デジタル記録再生装置。
【請求項２】
前記データ転送手段は、前記第１の記録手段から前記第２の記録手段への前記番組データの転送が完了すると、前記第１の記録手段に記録された前記番組データを消去することを特徴とする、請求項１に記載のデジタル記録再生装置。
【発明の詳細な説明】
【技術分野】
【０００１】
本発明は、デジタルテレビジョン放送等を受信し、受信した放送番組をブルーレイ・ディスク(Blu-ray Disc)（登録商標）やＤＶＤ等の光ディスクや、ハードディスク(Hard Disk Drive:HDD)等の磁気ディスクといったディスク記録媒体に映像音声信号データを記録するデジタル記録再生装置に関し、特に、ディスク記録媒体に加えてＳＳＤ(Solid State Drive)などの半導体メモリをさらに備えるデジタル記録再生装置に関する。
【背景技術】
【０００２】
従来のデジタル記録再生装置では、光ディスクや磁気ディスクへのデータ（情報）の記録開始時に当該光ディスクや磁気ディスクを起動する準備期間において、起動のレスポンス（立ち上がり）が良好なキャッシュメモリ等の半導体メモリに対して一時的にデータを格納しておく技術が知られている（例えば、特許文献１参照）。記録開始時の準備期間中に、本来ディスクに記録されるべき情報の先頭シーンを上記半導体メモリに一時的に記録することによって、準備期間中の映像を記録または再生することが可能となり、使用者の使い勝手を向上させることができる。
【先行技術文献】
【特許文献】
【０００３】
【特許文献１】特許第４２７９７２３号公報（第１図）
【発明の概要】
【発明が解決しようとする課題】
【０００４】
しかし、特許文献１では、記録時に半導体メモリとハードディスクとを同時に使用する（動作させる）ため消費電力量が大きくなるという問題がある。また、記録開始時の使い勝手は向上するが、一旦記録が終了してデジタル記録再生装置の電源を切った後に、記録済みの放送番組を再生する際には、デジタル記録再生装置の電源投入後にハードディスクの起動が完了するまで待つ必要があり、使用者の使い勝手の向上は限定的であった。
【０００５】
本発明は、これらの問題を解決するためになされたものであり、消費電力量を抑えるとともに、使用者の使い勝手を向上させることが可能なデジタル記録再生装置を提供することを目的とする。
【課題を解決するための手段】
【０００６】
上記の課題を解決するために、本発明によるデジタル記録再生装置は、放送番組を含むデジタル放送信号を受信する受信手段と、受信手段にて受信されたデジタル放送信号から、記録すべき放送番組の番組データを抽出する番組データ抽出手段と、番組データ抽出手段にて抽出された番組データを記録する半導体記録媒体およびディスク記録媒体をそれぞれ備える第１および第２の記録手段と、第１の記録手段から第２の記録手段へ番組データの転送を行うデータ転送手段とを備え、番組データを記録するに際し、第１の記録手段は、第２の記録手段よりも少ない消費電力で番組データを記録し、番組データを転送するに際し、転送に要する時間は、第１の記録手段への番組データの番組開始からの記録に要する時間よりも短く、データ転送手段は、第１の記録手段への番組データの記録が完了する前から、転送を開始することを特徴とする。
【発明の効果】
【０００７】
本発明によると、放送番組を含むデジタル放送信号を受信する受信手段と、受信手段にて受信されたデジタル放送信号から、記録すべき放送番組の番組データを抽出する番組データ抽出手段と、番組データ抽出手段にて抽出された番組データを記録する半導体記録媒体およびディスク記録媒体をそれぞれ備える第１および第２の記録手段と、第１の記録手段から第２の記録手段へ番組データの転送を行うデータ転送手段とを備え、番組データを記録するに際し、第１の記録手段は、第２の記録手段よりも少ない消費電力で番組データを記録し、番組データを転送するに際し、転送に要する時間は、第１の記録手段への番組データの番組開始からの記録に要する時間よりも短く、データ転送手段は、第１の記録手段への番組データの記録が完了する前から、転送を開始するため、消費電力量を抑えるとともに、使用者の使い勝手を向上させることが可能となる。
【図面の簡単な説明】
【０００８】
【図１】本発明の実施形態１によるデジタル記録再生装置の構成を示すブロック図である。
【図２】本発明の実施形態１によるデジタル記録再生装置における番組の予約録画の動作の一例を示すフローチャートである。
【図３】本発明の実施形態２によるデジタル記録再生装置の構成を示すブロック図である。
【図４】本発明の実施形態２によるデジタル記録再生装置における録画済み放送番組の一覧画面の一例を示す図である。
【図５】本発明の実施形態２によるデジタル記録再生装置における番組の予約録画の動作の一例を示すフローチャートである。
【発明を実施するための形態】
【０００９】
本発明の実施形態について、図面に基づいて以下に説明する。
【００１０】
〈実施形態１〉
図１は、本発明の実施形態１によるデジタル記録再生装置１００の構成を示すブロック図である。本実施形態１は、現に半導体メモリ１０５に記録中の番組データを、半導体メモリ１０５への記録完了後にディスク記録媒体１０６に転送する、あるいは、半導体メモリ１０５への記録完了直前にディスク記録媒体１０６に転送する形態である。
【００１１】
図１に示すように、本実施形態１によるデジタル記録再生装置１００は、デジタル放送波を受信するためにデジタル記録再生装置１００の外部に設置されたアンテナ１０１と、デジタルチューナー１０２（受信手段）と、トランスポートストリームデコーダ１０３と、ストリームコントローラ１０４と、例えばＳＳＤ等の半導体メモリ１０５（第１の記録手段）と、例えば光ディスクやＨＤＤ等のディスク記録媒体１０６（第２の記録手段）と、ＡＶデコーダ１０７とを備えている。また、ＣＰＵ１０９（Ｃｅｎｔｒａｌ  Ｐｒｏｃｅｓｓｉｎｇ  Ｕｎｉｔ）と、ＣＰＵ１０９の処理に用いるプログラム等を格納するＲＯＭ（Ｒｅａｄ  Ｏｎｌｙ  Ｍｅｍｏｒｙ）１１０と、ＣＰＵ１０９のワーク領域等に用いるＲＡＭ１１１（Ｒａｎｄｏｍ  Ａｃｃｅｓｓ  Ｍｅｍｏｒｙ）とを備えている。また、半導体メモリ１０５への電力供給を制御する半導体メモリ電源装置１１３と、ディスク記録媒体１０６への電力供給を制御するディスク記録媒体電源装置１１４とを備え、半導体メモリ電源装置１１３およびディスク記録媒体電源装置１１４による半導体メモリ１０５およびディスク記録媒体１０６への電力供給の制御は、ＣＰＵバス１１２を介してＣＰＵ１０９によって制御される。
【００１２】
次に、デジタル記録再生装置１００の動作について説明する。
【００１３】
デジタルチューナー１０２（受信手段）は、アンテナ１０１を介して放送番組を含むデジタル放送波を受信し、受信したデジタル放送波からトランスポートストリーム（デジタル放送信号）を抽出する。トランスポートストリームデコーダ１０３（番組データ抽出手段）は、デジタルチューナー１０２にて抽出されたトランスポートストリームから、選局された放送番組（以下、単に番組とも称する）に関連するデータのみを抽出したパーシャルトランスポートストリーム（番組データ）をストリームコントローラ１０４に出力する。
【００１４】
現在放送されている番組（選局して受信した番組）を視聴する場合において、トランスポートストリームデコーダ１０３にて抽出されたパーシャルトランスポートストリームは、ストリームコントローラ１０４によってＡＶデコーダ１０７に入力される。ＡＶデコーダ１０７では、入力されたパーシャルトランスポートストリームに含まれる番組の映像データと音声データとがデコード（復元）される。そして、復元された映像音声信号は、出力映像音声信号１０８としてモニター（図示せず）やスピーカー（図示せず）などの外部出力装置から出力される。
【００１５】
また、現在放送されている番組を記録する場合において、半導体メモリ電源装置１１３は、半導体メモリ１０５に対して電力を供給する。そして、トランスポートストリームデコーダ１０３にて抽出されたパーシャルトランスポートストリーム（記録すべき番組の番組データ）は、ストリームコントローラ１０４によって番組データとして半導体メモリ１０５に記録される。なお、本実施形態１では、半導体メモリ１０５は、少なくとも１つの番組を記録するために必要な容量を有しているものとし、１つの番組を記録している間は半導体メモリ１０５のみに電力が供給され（半導体メモリ１０５は電源ＯＮ状態）、ディスク記録媒体１０６には電力が供給されない（ディスク記録媒体１０６は電源ＯＦＦ状態）。
【００１６】
番組の記録が終了すると、ディスク記録媒体電源装置１１４はディスク記録媒体１０６に対して電力を供給する。ストリームコントローラ１０４（データ転送手段）は、半導体メモリ１０５への番組データの記録の終了後に、半導体メモリ１０５に記録された番組データを、半導体メモリ１０５からディスク記録媒体１０６にコピー（転送）する。コピーが完了すると、ストリームコントローラ１０４は、半導体メモリ１０５に記録された番組データ（コピー元の番組データ）を消去する。
【００１７】
ディスク記録媒体１０６に記録された番組を再生する場合において、ストリームコントローラ１０４は、ディスク記録媒体１０６に記録された番組の番組データ（パーシャルトランスポートストリームデータ）を読み出し、ＡＶデコーダ１０７に出力する。ＡＶデコーダ１０７では、入力されたパーシャルトランスポートストリームに含まれる番組の映像データと音声データとがデコードされる。そして、復元された映像音声信号は、出力映像音声信号１０８としてモニター（図示せず）やスピーカー（図示せず）などの外部出力装置から出力される。
【００１８】
上記の一連の動作は、ＣＰＵ１０９によって制御されている。すなわち、ＣＰＵ１０９は、ＲＯＭ１１０に予め格納されているプログラムに従って、ＲＡＭ１１１をワーク領域として使用しながら、ＣＰＵバス１１２を介して各ブロック（各構成要素）を制御している。
【００１９】
図２は、本発明の実施形態１によるデジタル記録再生装置１００における番組の予約録画の動作の一例を示すフローチャートである。なお、図２において、デジタル記録再生装置１００では番組の録画がタイマー予約（録画予約）されているものとする。図２に示すように、ＣＰＵ１０９は、録画予約された番組の開始時刻が近づくと、各ブロック（デジタル記録再生装置１００を構成する各構成要素）に対して必要に応じて電源の投入や、放送チャンネルの受信をするよう制御して予約された録画（予約録画）の準備を開始する（ステップＳ２０１）。そして、ＣＰＵ１０９は、半導体メモリ電源装置１１３に対して半導体メモリ１０５に電力を供給するよう制御し、半導体メモリ１０５をＯＮ状態にする（ステップＳ２０２）。このとき、ディスク記録媒体１０６はＯＦＦ状態である。
【００２０】
ＣＰＵ１０９は、録画予約された番組が開始されたか否かを監視し（ステップＳ２０３）、番組が開始されたことを検知すると（ステップＳ２０３のＹ）、半導体メモリ１０５への番組データの記録を開始する（ステップＳ２０４）。その後、半導体メモリ１０５への番組データの録画を続けながら番組が終了したか否かを監視し（ステップＳ２０５）、番組の終了を検知すると（ステップＳ２０５のＹ）、半導体メモリ１０５への番組データの記録を終了する（ステップＳ２０６）。このとき、記録された番組データは半導体メモリ１０５内にのみ存在している。
【００２１】
ステップＳ２０６にて半導体メモリ１０５への番組データの記録が終了すると、ＣＰＵ１０９は、ディスク記録媒体電源装置１１４に対してディスク記録媒体１０６に電力を供給するよう制御し、ディスク記録媒体１０６を起動してＯＮ状態にする（ステップＳ２０７）。ディスク記録媒体１０６がＯＮ状態になると、ＣＰＵ１０９はストリームコントローラ１０４を制御して、半導体メモリ１０５に記録した番組データをディスク記録媒体１０６にコピーする動作を開始する（ステップＳ２０８）。コピーの動作開始後、番組データのコピーを続けながらコピーが終了したか否かを監視し（ステップＳ２０９）、コピーの終了を検知すると（ステップＳ２０９のＹ）、半導体メモリ１０５内に残っている番組データ（コピー元の番組データ）を消去する（ステップＳ２１０）。このとき、記録された番組データはディスク記録媒体１０６内にのみ存在する。
【００２２】
ステップＳ２１０の後、ＣＰＵ１０９は、特に使用者から指示がなければ、予約録画開始前の状態に戻るために、半導体メモリ１０５およびディスク記録媒体１０６をＯＦＦ状態にするよう半導体メモリ電源装置１１３およびディスク記録媒体電源装置１１４に対して電力の供給を遮断するよう制御し（ステップＳ２１１）、予約録画を終了する（ステップＳ２１２）。
【００２３】
光ディスクやＨＤＤ等のディスク記録媒体１０６は、単位容量当たりの価格が安価であるが、ディスクを高速回転させるためにモーターを使用する必要があるため、一般的に消費電力が大きい。一方、フラッシュメモリなどで構成される半導体メモリ１０５は、ディスク記録媒体１０６のように回転機構を備える必要がないため消費電力が小さく、起動のレスポンスが早いが、単位容量当たりの価格が高い。
【００２４】
通常、番組データのコピーに要する時間は、番組の記録に要する時間（すなわち、番組の放送時間）よりも短い。本実施形態１では、番組の記録中は、起動のレスポンスが早く消費電力の小さい半導体メモリ１０５を使用し、半導体メモリ１０５への番組の記録が完了した後に、番組データをコピーする時間（ステップＳ２０７〜ステップＳ２１１）だけディスク記録媒体１０６を使用するため、全体的な消費電力量を抑えることができる。
【００２５】
また、本実施形態１では、１つの番組の記録が完了するたびに、半導体メモリ１０５からディスク記録媒体１０６に番組データをコピーし（すなわち、ストリームコントローラ１０４は、現に半導体メモリ１０５に記録中の番組データの記録完了直後に、半導体メモリ１０５に記録された番組データをディスク記録媒体１０６に転送し）、コピー完了後に半導体メモリ１０５内のコピー元の番組データを消去するようにしている。従って、半導体メモリ１０５の記録容量は、少なくとも１番組分のデータが格納できる程度の容量であればよい。
【００２６】
また、本実施形態１では、予約録画の全体に要する時間が、半導体メモリ１０５からディスク記録媒体１０６へのコピーの時間分だけ余分に必要となるが、記録中の番組が終了する前から、半導体メモリ１０５内の記録済みの番組データをディスク記録媒体１０６にコピーして、コピーの時間を削減するようにしてもよい。すなわち、ストリームコントローラ１０４（データ転送手段）は、半導体メモリ１０５への番組データの記録完了直前に、ディスク記録媒体１０６をＯＮ状態にし、当該番組データをディスク記録媒体１０６に転送するようにしてもよい。なお、コピーの開始（すなわち、図２のステップＳ２０７の開始）は、番組の終了予定時刻からコピーに要する時間分だけ前の時刻から行うことが望ましい。この場合においても、ストリームコントローラ１０４は、半導体メモリ１０５からディスク記録媒体１０６への番組データの転送が完了すると、半導体メモリ１０５に記録された番組データ（コピー元の番組データ）を消去する。
【００２７】
また、本実施形態１では、半導体メモリ１０５への番組データの記録が終了した直後に、半導体メモリ１０５からディスク記録媒体１０６に番組データのコピーを行うようにしたが、コピーを行うタイミングは上記に限らず他のタイミングで行ってもよい。例えば、１日に１回コピーを行うタイミングを設定してもよく、デジタル記録再生装置１００が未使用の時間帯にコピーを行うようにしてもよい。また、半導体メモリ１０５の空き容量が所定の閾値を下回ったときにコピーを行うようにしてもよい。なお、これらは後で述べる実施形態２の概念とも理解することができる。
【００２８】
また、本実施形態１では、半導体メモリ３０１としてフラッシュメモリ等で構成される例えばＳＳＤ等の不揮発性メモリを使用したが、例えば電池によって電流バックアップされたＳＲＡＭ(Static Random Access Memory)等の揮発性メモリを使用してもよい。
【００２９】
また、本実施形態１では、半導体メモリ電源装置１１３およびディスク記録媒体電源装置１１４を使用して、半導体メモリ１０５およびディスク記録媒体１０６に対する電力の供給（通電）を制御するようにしたが、半導体メモリ１０５およびディスク記録媒体１０６をＯＦＦ状態にする際に通電を必ずしも遮断する必要はなく、半導体メモリ１０５およびディスク記録媒体１０６の各々のスタンバイモードを使用するなどして電力量を削減するようにしてもよい。
【００３０】
〈実施形態２〉
図３は、本発明の実施形態２によるデジタル記録再生装置３００の構成を示すブロック図である。本実施形態２は、既に半導体メモリ３０１に記録済みの番組データを、半導体メモリ３０１への記録完了後にディスク記録媒体１０６に転送する、あるいは、半導体メモリ３０１への記録完了直前にディスク記録媒体１０６に転送する形態である。
【００３１】
図３に示すように、本実施形態２では、実施形態１で使用した半導体メモリ１０５（図１参照）よりも容量が大きい半導体メモリ３０１と、番組データを所定の情報に基づいて選別する番組選別手段（ＣＰＵ１０９）を備え、ストリームコントローラ１０４（データ転送手段）は、既に半導体メモリ３０１（第１の記録手段）に記録された番組データの中からＣＰＵ１０９（番組選別手段）にて選別された番組データの転送を行うことを特徴としている。その他の構成は実施形態１と同様であるため、ここでは説明を省略する。
【００３２】
前述の通り、半導体メモリ３０１は、消費電力が小さく起動のレスポンスが早いという利点はあるが、単位容量当たりの価格が高いため、ディスク記録媒体１０６の代替として当該ディスク記録媒体１０６と同等の記録容量を備えようとするとデジタル記録再生装置３００の価格が高くなってしまう。一方、実施形態１では、半導体メモリ１０５の消費電力量が小さいという利点を活かして、番組の記録時に要する消費電力量を抑えることができるが、記録済みの番組データは起動のレスポンスが遅いディスク記録媒体１０６に格納されているため、デジタル記録再生装置の電源を投入してから記録済みの番組を再生するまでの時間を短縮することができない。
【００３３】
本実施形態２では、実施形態１で使用した半導体メモリ１０５よりも容量が大きい半導体メモリ３０１を使用しており、複数の番組データを格納することが可能で、使用者が記録済みの番組を再生する可能性が高いと推定される番組を半導体メモリ３０１に格納し、記録済みの番組を再生する可能性が低いと推定される番組をディスク記録媒体１０６に格納することによって、デジタル記録再生装置の電源を投入してから記録済みの番組を再生するまでの時間を短縮するようにしている。
【００３４】
図４は、本発明の実施形態２によるデジタル記録再生装置３００における録画済み放送番組の一覧画面の一例を示す図である。図４（ａ）は、半導体メモリ３０１の一例としてＳＳＤに記録された番組をＳＳＤ放送番組一覧４００として示しており、図４（ｂ）は、ディスク記録媒体１０６の一例としてＨＤＤに記録された番組をＨＤＤ放送番組一覧４０１として示している。
【００３５】
半導体メモリ３０１には、現日付から過去７日間（１週間）以内（以下、過去７日間以内とする）に記録された番組が格納されており、ＳＳＤ放送番組一覧４００には、過去７日間以内に記録された番組の一覧が表示されている。また、ディスク記録媒体１０６には、現日付から８日以上前（以下、８日以上前とする）に記録された番組が格納されており、ＨＤＤ放送番組一覧４０１には、８日以上前に記録された番組の一覧が表示されている。
【００３６】
デジタル記録再生装置３００の一般的な使用方法としては、番組を記録してから１週間以内に当該記録した番組を再生して視聴することが多い。例えば、帰宅時間が遅くなって視聴することができなかったドラマ等の番組を当日の夜に視聴したり、ニュース番組やスポーツ番組などをその情報が新しいうちに視聴したりすることは、一般的によくなされる行動である。このように、ＣＰＵ１０９（番組選別手段）は、最近記録した番組（所定の情報に基づいて選別された番組データ）は使用者によって再生される可能性が高いと推測し、そのような番組を起動のレスポンスが早い半導体メモリ３０１に記録するようにしている。従って、デジタル記録再生装置３００の電源を投入してから記録済みの番組を再生するまでの時間を短縮することができ、使用者の使い勝手を向上させることができる。
【００３７】
図５は、本発明の実施形態２によるデジタル記録再生装置３００における番組の予約録画の動作の一例を示すフローチャートである。なお、図５において、デジタル記録再生装置３００では番組の録画がタイマー予約（録画予約）されているものとする。また、図５のステップＳ５０１〜ステップＳ５０６は、図２のステップＳ２０１〜ステップＳ２０６と同様の処理を行っているため、ここでは説明を省略する。
【００３８】
ＣＰＵ１０９は、半導体メモリ３０１への番組データの記録が終了すると（ステップＳ５０６）、半導体メモリ３０１内に８日以上経過した番組データがあるか否かを判定する（ステップＳ５０７）。半導体メモリ３０１内に８日以上経過した番組データがあると判定されると（ステップＳ５０７のＹ）、ＣＰＵ１０９は、ディスク記録媒体電源装置１１４に対してディスク記録媒体１０６に電力を供給するよう制御し、ディスク記録媒体１０６を起動してＯＮ状態にする（ステップＳ５０８）。ディスク記録媒体１０６がＯＮ状態になると、ＣＰＵ１０９はストリームコントローラ１０４を制御して、半導体メモリ３０１内の８日以上経過した番組データをディスク記録媒体１０６にコピーする動作を開始する（ステップＳ５０９）。コピーの動作開始後、番組データのコピーを続けながらコピーが終了したか否かを監視し（ステップＳ５１０）、コピーの終了を検知すると（ステップＳ５１０のＹ）、半導体メモリ３０１内に残っている８日以上経過した番組データ（コピー元の番組データ）を消去する（ステップＳ５１１）。このとき、半導体メモリ３０１内には過去７日間以内の番組データが格納されており、ディスク記録媒体１０６内には８日以上経過した番組データが格納されている。
【００３９】
その後、半導体メモリ３０１内に８日以上経過した番組データが存在しないと判定されると（ステップＳ５０７のＮ）、すなわち、半導体メモリ３０１内に過去７日間以内の番組データのみが格納された状態となっていると判定されると、ＣＰＵ１０９は、半導体メモリ３０１およびディスク記録媒体１０６をＯＦＦ状態にするよう半導体メモリ電源装置１１３およびディスク記録媒体電源装置１１４に対して電力の供給を遮断するよう制御し（ステップＳ５１２）、予約録画を終了する（ステップＳ５１３）。
【００４０】
上記の動作により、ＣＰＵ１０９（番組選別手段）は、番組データが記録された日時情報（所定の情報）に基づいて番組データを選別しており、半導体メモリ３０１内には過去７日間以内の番組データのみが格納され、ディスク記録媒体１０６内には８日以上経過した番組データが格納される。使用者が記録済みの放送番組を再生して視聴しようとする場合において、デジタル記録再生装置３００の電源が投入された後、まずは起動のレスポンスが早い半導体メモリ３０１が起動される。半導体メモリ３０１の起動が完了すると、表示部（図示せず）にＳＳＤ放送番組一覧４００が表示され、使用者は表示されたＳＳＤ放送番組一覧４００から任意の番組を選択して再生することにより視聴することができる。また、同時に、ディスク記録媒体１０６を起動して表示部（図示せず）にＨＤＤ放送番組一覧４０１を表示させ、８日以上経過した番組も再生可能な状態にしてもよい。
【００４１】
なお、本実施形態２では、半導体メモリ３０１内に過去７日間以内の番組データを格納するようにしたが、半導体メモリ３０１の容量に従って格納する期間を調整することができるようにしてもよい。例えば、半導体メモリ３０１内に番組データを格納する期間を規定せずに、次回の予約録画が可能な空き容量を半導体メモリ３０１内に確保しておき、可能な限り半導体メモリ３０１内に番組データを格納することによって、予約録画を行う頻度が異なる使用者に対して半導体メモリ３０１の起動のレスポンスの速さを最大限に活用することができる。
【００４２】
また、本実施形態２では、記録から時間が経過していない番組、すなわち最近記録された番組は、使用者に再生される可能性が高い番組であると推定して半導体メモリ３０１内に格納するようにしたが、半導体メモリ３０１内に格納された番組のうち、使用者に再生された番組データをディスク記録媒体１０６に移動させるようにしてもよい。すなわち、ＣＰＵ１０９（番組選別手段）は、半導体メモリ３０１に記録された番組データが再生されたか否かの情報に基づいて番組データを選別するようにしてもよい。
【００４３】
また、使用者によるデジタル記録再生装置３００の操作履歴を分析して放送番組に対する使用者の視聴の嗜好を予測し、当該予測に基づいて半導体メモリ３０１に格納する番組を選択するようにしてもよい。すなわち、ＣＰＵ１０９（番組選別手段）は、放送番組に対する使用者の嗜好情報に基づいて番組データを選別するようにしてもよい。視聴の嗜好の予測には、例えば、デジタル放送の番組情報に含まれる番組名等の文字情報、スポーツやドラマ等の番組ジャンル情報、番組出演者の名前等の情報を利用して嗜好を予測する方法がある。あるいは、半導体メモリ３０１内に格納する番組や番組ジャンル等を使用者に選択させるようにしてもよい。
【００４４】
また、本実施形態２では、予約録画の全体に要する時間が、半導体メモリ３０１からディスク記録媒体１０６へのコピーの時間分だけ余分に必要となるが、記録中の番組が終了する前から、半導体メモリ３０１内の記録済みの番組データをディスク記録媒体１０６にコピーして、コピーの時間を削減するようにしてもよい。すなわち、ストリームコントローラ１０４（データ転送手段）は、半導体メモリ３０１への番組データの記録完了直前に、ディスク記録媒体１０６をＯＮ状態にし、当該番組データをディスク記録媒体１０６に転送するようにしてもよい。なお、コピーの開始（すなわち、図５のステップＳ５０８の開始）は、番組の終了予定時刻からコピーに要する時間分だけ前の時刻から行うことが望ましい。この場合においても、ストリームコントローラ１０４は、半導体メモリ３０１からディスク記録媒体１０６への番組データの転送が完了すると、半導体メモリ３０１に記録された番組データ（コピー元の番組データ）を消去する。
【００４５】
また、本実施形態２では、半導体メモリ３０１としてフラッシュメモリ等で構成される例えばＳＳＤ等の不揮発性メモリを使用したが、例えば電池によって電流バックアップされたＳＲＡＭ等の揮発性メモリを使用してもよい。
【００４６】
また、本実施形態２では、半導体メモリ電源装置１１３およびディスク記録媒体電源装置１１４を使用して、半導体メモリ１０５およびディスク記録媒体１０６に対する電力の供給（通電）を制御するようにしたが、半導体メモリ１０５およびディスク記録媒体１０６をＯＦＦ状態にする際に通電を必ずしも遮断する必要はなく、半導体メモリ１０５およびディスク記録媒体１０６の各々のスタンバイモードを使用するなどして電力量を削減するようにしてもよい。
【産業上の利用可能性】
【００４７】
本発明の活用例として、ＨＤＤ内蔵のデジタル放送レコーダ等、ディスクメディアに放送番組等をデジタル記録することを目的とする機器に適用できる。
【符号の説明】
【００４８】
１００  デジタル記録再生装置、１０１  アンテナ、１０２  デジタルチューナー、１０３  トランスポートストリームデコーダ、１０４  ストリームコントローラ、１０５  半導体メモリ、１０６  ディスク記録媒体、１０７  ＡＶデコーダ、１０８  出力映像音声信号、１０９  ＣＰＵ、１１０  ＲＯＭ、１１１  ＲＡＭ、１１２  ＣＰＵバス、１１３  半導体メモリ電源装置、１１４  ディスク記録媒体電源装置、３００  デジタル記録再生装置、３０１  半導体メモリ、４００  ＳＳＤ放送番組一覧、４０１  ＨＤＤ放送番組一覧。
【図１】
0005846795.tif 000002
【図２】
0005846795.tif 000003
【図３】
0005846795.tif 000004
【図４】
0005846795.tif 000005
【図５】
0005846795.tif 000006